(57)【要約】  本発明は、使い捨ての、少なくとも２つの流動性物質を格納し、同時に投与するための多室型パッケージに関する。パッケージは、少なくとも第１の製品格納キャビティ及び第２の製品格納キャビティと第１の製品投与チャンネル及び第２の製品投与チャンネルを含んでいる。少なくとも１つの分割線は、選択的にパッケージの少なくとも所定の領域の強度を低減し、タブを概略的に形成する。このようなパッケージの利用方法は、１）タブの一部を分割するためにタブ生成領域に所定の力を作用させるステップと、２）製品投与チャンネルを横切って引き裂くことによってブリスターパッケージからタブを取り除き、翼部を形成し、製品投与チャンネルの内部を露出させるステップと、３）製品投与チャンネルの開口部を互いに向かって回動させるために翼部を回転させるステップと、及び４）製品を分配するために製品格納キャビティに所定の力を作用させるステップとを含んでいる。パッケージは、多数の製品格納キャビティ及び製品投与チャンネルを利用することによって、２つ以上の流動性物質を格納することができる。
2008543683.tif 000002
【特許請求の範囲】
【請求項１】
外周部（１６）、投与側端部（１２）、把持側端部（１４）、最大長手方向長さ（１８）、及び最大横幅（２０）を有している、少なくとも第１の流動性物質（Ｓ１）及び第２の流動性物質（Ｓ２）を格納し、且つ同時に投与するための、使い捨ての多室型ブリスターパッケージ（１０）であって、
（ａ）１つ以上の外縁（１１２）を備えたブリスター層の外周部（１１０）、ブリスター層の外面（１２０）、及びブリスター層の内面（１３０）を有し、且つ少なくとも第１の製品格納キャビティ（１６０）、第２の製品格納キャビティ（１７０）、第１の製品投与チャンネル（１６２）、及び第２の製品投与チャンネル（１７２）と共に形成されているブリスター層（１００）であって、前記第１の製品投与チャンネル（１６２）が、前記第１の製品格納キャビティ（１６０）及び遠位端（１６７）と流通している近位端（１６６）を有しており、前記第２の製品投与チャンネル（１７２）が、前記第２の製品格納キャビティ（１７０）及び遠位端（１７７）と流通している近位端（１７６）を有しており、前記ブリスター層（１００）が、２つの端点（１４２）を有し、且つ前記ブリスター層の外周部（１１０）に対して内側に配置されたブリスター層のタブ生成分割線（１４０）を有していることによって、前記ブリスター層のタブ生成分割線（１４０）における前記ブリスター層（１００）の強度を選択的に低減し、且つ、ブリスター層のタブ生成領域（１５０）を概略形成しており、前記第１の製品格納キャビティ（１６０）、前記第２の製品格納キャビティ（１７０）、前記第１の製品投与チャンネル（１６２）、及び前記第２の製品投与チャンネル（１７２）が、前記ブリスター層の外周部（１１０）に至るまで延在していない前記ブリスター層と、
（ｂ）１つ以上の外縁（２１２）を備えたベース層の外周部（２１０）、ベース層の外面（２２０）、ベース層の内面（２３０）、及び２つの端点（２４２）を有し、且つ前記ベース層の外周部（２１０）に対して内側に配置されていることによって、前記ベース層のタブ生成分割線（２４０）におけるベース層（２００）の強度を選択的に低減し、且つ、ベース層のタブ生成領域（２５０）を概略形成しているベース層のタブ生成分割線（２４０）を有している前記ベース層（２００）であって、前記ベース層の内面（２３０）の表面領域のうち少なくとも一部が、前記ベース層（２００）が前記第１の製品格納キャビティ（１６０）、前記第２の製品格納キャビティ（１７０）、前記第１の製品投与チャンネル（１６２）、及び前記第２の製品投与チャンネル（１７２）を外界から密閉するように前記ブリスター層の内面（１３０）に結合されており、前記ベース層のタブ生成分割線（２４０）及び前記ブリスター層のタブ生成分割線（１４０）が互いに重なり合って、前記ベース層のタブ生成領域（１５０）及び前記ブリスター層のタブ生成領域（２５０）が互いに重なり合っている前記ベース層と、
を備え、
（ｉ）所定の力を前記ベース層のタブ生成領域（２５０）及び前記ブリスター層のタブ生成領域（１５０）に作用させることによって、ベース層要素（３１０）及びブリスター層要素（３２０）を有しているタブ（３００）が形成されるように、前記ベース層のタブ生成分割線（２４０）において前記ベース層（２００）の一部を分割し、且つ、前記ブリスター層のタブ生成分割線（１４０）において前記ブリスター層（１００）の一部を分割すること、
（ｉｉ）前記ブリスターパッケージ（１０）の前記把持側端部（１４）から離れるように前記タブ（３００）を引くことによって、前記ブリスターパッケージ（１０）から前記タブ（３００）を取り除き、これにより少なくとも１つの前記ブリスター層の分割生成線の前記端点（１４２）及び少なくとも１つの前記ベース層の分割生成線の前記端点（２４２）から前記ブリスター層の外周部（１１０）及び前記ベース層の外周部（２１０）に至るまで、第１の製品投与チャンネルの開口部（１６８）及び第２の製品投与チャンネルの開口部（１７８）を形成する前記第１の製品投与チャンネル（１６２）及び前記第２の製品投与チャンネル（１７２）を横切って、前記ベース層（２００）及び前記ブリスター層（１００）を引き裂き、これにより前記第１の製品投与チャンネル（１６２）及び前記第２の製品投与チャンネル（１７２）の内部を外界に露出させ、且つ、左翼部（４００）及び右翼部（５００）を形成すること、及び、
（ｉｉｉ）前記第１の製品投与チャンネルの開口部（１６８）及び前記第２の製品投与チャンネルの開口部（１７８）が互いに向かって回動するように、前記左翼部（４００）又は前記右翼部（５００）を回転させて、前記第１の流動性物質（Ｓ１）及び前記第２の流動性物質（Ｓ２）の圧力が高まるように所定の圧力を前記ブリスターパッケージ（１０）に作用させ、これにより（ａ）前記第１の流動性物質（Ｓ１）を、前記第１の製品格納キャビティ（１６０）から前記第１の製品投与チャンネル（１６２）を通じて流し、前記第１の製品投与チャンネルの開口部（１６８）を通じて前記ブリスターパッケージ（１０）から流出させ、（ｂ）前記第２の流動性物質（Ｓ２）を、前記第２の製品格納キャビティ（１７０）から前記第２の製品投与チャンネル（１７２）を通じて流し、前記第２の製品投与チャンネルの開口部（１７８）を通じて前記ブリスターパッケージ（１０）から流出させることによって、
前記第１の流動性物質（Ｓ１）及び前記第２の流動性物質（Ｓ２）を投与することを特徴とするブリスターパッケージ。
【請求項２】
エンボス加工された表示部をさらに含んでいることを特徴とする請求項１に記載のブリスターパッケージ（１０）。
【請求項３】
前記表示部は、前記タブ（３００）上に配置されていることを特徴とする請求項２に記載のブリスターパッケージ。
【請求項４】
前記表示部は、前記把持側端部（１４）上に配置されていることを特徴とする請求項２に記載のブリスターパッケージ。
【請求項５】
前記ブリスター層に形成されたブリスター層の折り曲げ促進機能部（１８０）をさらに含み、
前記ブリスター層の折り曲げ促進機能部（１８０）は、前記ブリスター層（１００）の剛性を低減し、前記ブリスター層の折り曲げ促進機能部（１８０）を中心とした前記左翼部（４００）及び前記右翼部（５００）の回転を促進させることを特徴とする請求項１に記載のブリスターパッケージ（１０）。
【請求項６】
前記ブリスター層の折り曲げ促進機能部（１８０）は、前記ブリスター層の外面（１２０）から前記ブリスター層の内面（１３０）に至るまで延在している少なくとも１つのスリットであることを特徴とする請求項５に記載のブリスターパッケージ（１０）。
【請求項７】
前記ベース層（２００）に形成されたベース層の折り曲げ促進機能部（２６０）をさらに含み、
前記ベース層の折り曲げ促進機能部（２６０）は、前記ベース層（２００）の剛性を低減し、前記ベース層の折り曲げ促進機能部（２６０）を中心とした前記左翼部（４００）及び前記右翼部（５００）の回転を促進させることを特徴とする請求項１に記載のブリスターパッケージ（１０）。
【請求項８】
前記ベース層の折り曲げ促進機能部（２６０）は、前記ベース層の外面（２２０）から前記ベース層の内面（２３０）に至るまで延在している少なくとも１つのスリットであることを特徴とする請求項７に記載のブリスターパッケージ（１０）。
【請求項９】
前記ブリスター層の外周部（１６）は、前記最大長手方向長さ（１８）に対して略平行とされ、且つ前記最大横幅（２０）の中点を通過して延伸する対称線（３０）に関して略対称とされることを特徴とする請求項１に記載のブリスターパッケージ（１０）。
【請求項１０】
前記ブリスター層の折り曲げ促進機能部（１８０）は、前記対称線（３０）上に実質的に配置されていることを特徴とする請求項９に記載のブリスターパッケージ（１０）。
【請求項１１】
前記ベース層の折り曲げ促進機能部（２６０）は、前記対称線（３０）上に実質的に配置されていることを特徴とする請求項９に記載のブリスターパッケージ（１０）。
【請求項１２】
前記ブリスター層のタブ生成分割線（１４０）は、前記最大長手方向長さ（１８）に対して略平行とされ、且つ前記最大横幅（２０）の中点を通過して延伸している対称線（３０）に関して略対称とされ、
前記ブリスター層のタブ生成分割線（１４０）は、前記第１の製品投与チャンネル（１６２）と第２の製品投与チャンネル（１７２）との間に実質的に配置されていることを特徴とすることを特徴とする請求項１に記載のブリスターパッケージ（１０）。
【請求項１３】
前記ブリスター層のタブ生成分割線（１４０）は、前記ブリスターパッケージの前記投与側端部（１２）に向かって開口している略凹状の形状とされることを特徴とする請求項１２に記載のブリスターパッケージ（１０）。
【請求項１４】
前記第１の製品投与チャンネル（１６２）は、中心線（１６５）を有し、
前記第２の製品投与チャンネル（１７２）は、中心線（１７５）を有し、
前記第１の製品投与チャンネルの前記中心線（１６５）の前記第１の製品投与チャンネルの前記遠位端（１６７）からの延長線は、０°〜１８０°の吐出収束角（１９０）で、前記第２の製品投与チャンネルの前記中心線（１７５）の前記第２の製品投与チャンネルの前記遠位端（１７７）からの延長線に収束していることを特徴とする請求項１に記載のブリスターパッケージ（１０）。
【請求項１５】
前記吐出収束角（１９０）は１８０°であり、
これにより前記第１の製品投与チャンネルの前記遠位端（１６７）及び前記第２の製品投与チャンネルの前記遠位端（１７７）は、前記対称線（３０）の両側から互いに向かっていくように形成され、
前記第１の製品投与チャンネルの前記遠位端（１６７）からの前記対称線（３０）に対する垂直距離は、前記ブリスター層のタブ分割生成線の第１の端点（１４２）からの前記対称線（３０）に対する垂直距離よりも小さく、且つ、
前記第２の製品投与チャンネルの前記遠位端（１７７）からの前記対称線（３０）に対する垂直距離は、前記ブリスター層のタブ分割生成線の第２の端点（１４２）からの前記対称線（３０）に対する垂直距離よりも小さいことを特徴とする請求項１５に記載のブリスターパッケージ（１０）。
【請求項１６】
前記ベース層のタブ生成分割線（２４０）は、前記最大長手方向長さ（１８）に対して略平行とされ、且つ前記最大横幅（２０）の中点を通過して延伸している対称線（３０）に関して略対称とされ、
前記ベース層のタブ生成分割線（２４０）は、前記第１の製品投与チャンネル（１６２）と前記第２の製品投与チャンネル（１７２）との間に実質的に配置されていることを特徴とする請求項１に記載のブリスターパッケージ（１０）。
【請求項１７】
前記タブ（３００）は、前記最大長手方向長さ（１８）に対して略平行とされ、且つ前記最大横幅（２０）の中点を通過して延伸している対称線（３０）に関して略対称とされることを特徴とする請求項１に記載のブリスターパッケージ（１０）。
【請求項１８】
前記ブリスター層のタブ生成分割線（１４０）は、第１のブリスター層の分割線セクション（１４４）及び第２のブリスター層の分割線セクション（１４６）を含んでいることを特徴とする請求項１に記載のブリスターパッケージ（１０）。
【請求項１９】
前記ベース層（２００）は、第１の流動性物質（Ｓ１）が入った第１の製品格納キャビティ（１６０）又は第２の流動性物質（Ｓ２）が入った第２の製品格納キャビティ（１７０）を人間の指で押すことによって容易に破裂し得ない材料及び厚さから構成されていることを特徴とする請求項１に記載のブリスターパッケージ（１０）。
【請求項２０】
前記ブリスター層（１００）は、熱可塑性プラスチック又は冷間成型材料から形成されていることを特徴とする請求項１に記載のブリスターパッケージ（１０）。
【請求項２１】
前記第１の製品格納キャビティ（１６０）、前記第２の製品格納キャビティ（１７０）、前記第１の製品投与チャンネル（１６２）、及び前記第２の製品投与チャンネル（１７２）は、前記ブリスター層（２００）内で熱間成型又は冷間成型されていることを特徴とする請求項１に記載のブリスターパッケージ（１０）。
【請求項２２】
共に結合された前記ベース層（２００）及び前記ブリスター層（１００）の一部は、前記ベース層の外周部（２１０）又は前記ブリスター層の外周部（１１０）から容易に引き裂き得ないことを特徴とする請求項１に記載のブリスターパッケージ（１０）。
【請求項２３】
前記ベース層のタブ生成分割線（２４０）及び前記ブリスター層のタブ生成分割線（１４０）は、打ち抜き、穿孔、圧痕、スコアラインや脆弱な破断線から成るグループのうち１つ以上のものを備えていることを特徴とする請求項１に記載のブリスターパッケージ（１０）。
【請求項２４】
投与側端部（１２）、把持側端部（１４）、最大長手方向長さ（１８）、最大横幅（２０）、及び前記最大長手方向長さ（１８）に対して略平行とされ、且つ前記最大横幅（２０）の中点を通過して延伸している対称線（３０）に関して略対称とされる外周部（１６）を有している、少なくとも第１の流動性物質（Ｓ１）及び第２の流動性物質（Ｓ２）を格納し、且つ投与するための、使い捨ての多室型ブリスターパッケージ（１０）であって、
前記ブリスターパッケージは、
１つ以上の外縁（１１２）を備えたブリスター層の外周部（１１０）、ブリスター層の外面（１２０）、及びブリスター層の内面（１３０）を有し、且つ少なくとも第１の製品格納キャビティ（１６０）、第２の製品格納キャビティ（１７０）、第１の製品投与チャンネル（１６２）、及び第２の製品投与チャンネル（１７２）と共に形成されているブリスター層（１００）であって、前記第１の製品投与チャンネル（１６２）が、前記第１の製品格納キャビティ（１６０）及び遠位端（１６７）と流通している近位端（１６６）を有しており、前記第２の製品投与チャンネル（１７２）が、前記第２の製品格納キャビティ（１７０）及び遠位端（１７７）と流通している近位端（１７６）を有しており、前記ブリスター層（１００）が、２つの端点（１４２）を有し、且つ前記ブリスター層の外周部（１１０）に対して内側に配置されたブリスター層のタブ生成分割線（１４０）を有していることによって、前記ブリスター層のタブ生成分割線（１４０）における前記ブリスター層（１００）の強度を選択的に低減し、ブリスター層のタブ生成領域（１５０）を概略形成しており、前記第１の製品格納キャビティ（１６０）、前記第２の製品格納キャビティ（１７０）、前記第１の製品投与チャンネル（１６２）、及び前記第２の製品投与チャンネル（１７２）が、前記ブリスター層の外周部（１１０）に至るまで延在せず、前記ブリスター層（１００）に形成され、対称線（３０）上に実質的に配置され、且つ、前記ブリスター層（１００）の剛性を低減するブリスター層の折り曲げ促進機能部（１８０）を含んでいる前記ブリスター層と、
１つ以上の外縁（２１２）を備えたベース層の外周部（２１０）、ベース層の外面（２２０）、ベース層の内面（２３０）、及び２つの端点（２４２）を有し、且つ前記ベース層の外周部（２１０）に対して内側に配置されていることによって、前記ベース層のタブ生成分割線（２４０）における前記ベース層（２００）の強度を選択的に低減し、且つ、ベース層のタブ生成領域（２５０）を概略形成しているベース層のタブ生成分割線（２４０）を有しているベース層（２００）であって、前記ベース層（２００）に形成され、前記対称線（３０）上に実質的に配置され、且つ、前記ベース層（２００）の剛性を低減するベース層の折り曲げ促進機能部（２６０）を含んでいる前記ベース層（２００）と、
を備え、
前記ベース層の内面（２３０）の少なくとも３．０ｍｍ幅の表面領域は、前記ベース層（２００）が前記第１の製品格納キャビティ（１６０）、前記第２の製品格納キャビティ（１７０）、前記第１の製品投与チャンネル（１６２）、及び前記第２の製品投与チャンネル（１７２）を外界から密閉するように前記ブリスター層の内面（１３０）に結合されており、前記ベース層のタブ生成分割線（２４０）及び前記ブリスター層のタブ生成分割線（１４０）が互いに重なり合って、前記ベース層のタブ生成領域（１５０）及び前記ブリスター層のタブ生成領域（２５０）が互いに重なり合っていることを特徴とするブリスターパッケージ。
【請求項２５】
ブリスターパッケージから第１の流動性物質（Ｓ１）及び第２の流動性物質（Ｓ２）を投与するための方法であって、
（ｉ）ベース層のタブ生成領域（２５０）及びブリスター層のタブ生成領域（１５０）に所定の力を作用させることによって、ベース層要素（３１０）及びブリスター層要素（３２０）を有しているタブ（３００）が形成されるように、前記ベース層のタブ生成分割線（２４０）においてベース層（２００）の一部を分割し、且つ、ブリスター層のタブ生成分割線（１４０）においてブリスター層（１００）の一部を分割するステップと、
（ｉｉ）前記ブリスターパッケージ（１０）の把持側端部（１４）から離れるように前記タブ（３００）を引くことによって、前記ブリスターパッケージ（１０）から前記タブ（３００）を取り除き、これにより少なくとも１つの前記ブリスター層の生成分割線の端点（１４２）及び少なくとも１つの前記ベース層の生成分割線の端点（２４２）から前記ブリスター層の外周部（１１０）及び前記ベース層の外周部（２１０）に至るまで、第１の製品投与チャンネルの開口部（１６８）及び第２の製品投与チャンネルの開口部（１７８）を形成する第１の製品投与チャンネル（１６２）及び第２の製品投与チャンネル（１７２）を横切って、前記ベース層（２００）及び前記ブリスター層（１００）を引き裂き、これにより前記第１の製品投与チャンネル（１６２）及び第２の製品投与チャンネル（１７２）の内部を外界に露出し、左翼部（４００）及び右翼部（５００）を形成するステップと、
（ｉｉｉ）前記第１の製品投与チャンネルの開口部（１６８）及び前記第２の製品投与チャンネルの開口部（１７８）が互いに向かって回動するように、ブリスター層の折り曲げ促進機能部（１８０）及びベース層の折り曲げ促進機能部（２６０）を中心として前記左翼部（４００）又は前記右翼部（５００）を回転させて、前記第１の流動性物質（Ｓ１）及び前記第２の流動性物質（Ｓ２）の圧力が高まるように、所定の圧力を前記ブリスターパッケージ（１０）に作用させることによって、（ａ）前記第１の流動性物質（Ｓ１）を、前記第１の製品格納キャビティ（１６０）から前記第１の製品投与チャンネル（１６２）を通じて流し、前記第１の製品投与チャンネルの開口部（１６８）を通じて前記ブリスターパッケージ（１０）から流出させ、（ｂ）前記第２の流動性物質（Ｓ２）を、前記第２の製品格納キャビティ（１７０）から前記第２の製品投与チャンネル（１７２）を通じて流し、前記第２の製品投与チャンネルの開口部（１７８）を通じて前記ブリスターパッケージ（１０）から流出させるステップと、
を備えていることを特徴とするブリスターパッケージ。
【請求項２６】
前記ブリスター層のタブ生成分割線（１４０）は、前記最大長手方向長さ（１８）に対して略平行とされ、且つ前記最大横幅（２０）の中点を通過して延伸している対称線（３０）に関して略対称とされ、
前記ブリスター層のタブ生成分割線（１４０）は、前記第１の製品投与チャンネル（１６２）及び前記第２の製品投与チャンネル（１７２）との間に実質的に配置されていることを特徴とする請求項２４に記載のブリスターパッケージ（１０）。
【請求項２７】
前記ブリスター層のタブ生成分割線（１４０）は、前記ブリスターパッケージの前記投与側端部（１２）に向かって開口している略凹状の形状とされることを特徴とする請求項２６に記載のブリスターパッケージ（１０）。
【請求項２８】
前記第１の製品投与チャンネル（１６２）は、中心線（１６５）を有し、
前記第２の製品投与チャンネル（１７２）は、中心線（１７５）を有し、
前記第１の製品投与チャンネルの前記中心線（１６５）の前記第１の製品投与チャンネルの前記遠位端（１６７）からの延長線は、２０°〜１８０°の吐出収束角（１９０）で、前記第２の製品投与チャンネルの前記中心線（１７５）の前記第２の製品投与チャンネルの前記遠位端（１７７）からの延長線に収束していることを特徴とする請求項２４に記載のブリスターパッケージ（１０）。
【請求項２９】
前記吐出収束角（１９０）は１８０°であり、
これにより前記第１の製品投与チャンネルの前記遠位端（１６７）及び前記第２の製品投与チャンネルの前記遠位端（１７７）は、前記対称線（３０）の両側から互いに向かっていくように形成され、
前記第１の製品投与チャンネルの前記遠位端（１６７）からの前記対称線（３０）に対する垂直距離は、前記ブリスター層のタブ分割生成線の第１の端点（１４２）からの前記対称線（３０）に対する垂直距離よりも小さく、且つ、
前記第２の製品投与チャンネルの前記遠位端（１７７）からの前記対称線（３０）に対する垂直距離は、前記ブリスター層のタブ分割生成線の第２の端点（１４２）からの前記対称線（３０）に対する垂直距離よりも小さいことを特徴とする請求項２７に記載のブリスターパッケージ（１０）。
【請求項３０】
前記第１の製品投与チャンネルの遠位端（１６７）及び前記第２の製品投与チャンネルの遠位端（１７７）が、前記対称線（３０）の両側から互いに向かっていくように形成され、
前記第１の製品投与チャンネルの前記遠位端（１６７）からの前記対称線（３０）に対する垂直距離は、前記ブリスター層のタブ分割生成線の第１の端点（１４２）からの前記対称線（３０）に対する垂直距離よりも小さく、
前記第２の製品投与チャンネルの前記遠位端（１７７）からの前記対称線（３０）に対する垂直距離は、前記ブリスター層のタブ分割生成線の第２の端点（１４２）からの前記対称線（３０）に対する垂直距離よりも小さいことを特徴とする請求項２６に記載のブリスターパッケージ（１０）。
【請求項３１】
前記ベース層のタブ生成分割線（２４０）は、前記最大長手方向長さ（１８）に対して略平行とされ、且つ前記最大横幅（２０）の中点を通過して延伸している対称線（３０）に関して略対称とされ、
前記ベース層のタブ生成分割線（２４０）は、前記第１の製品投与チャンネル（１６２）と前記第２の製品投与チャンネル（１７２）との間に実質的に配置されていることを特徴とする請求項２４に記載のブリスターパッケージ（１０）。
【請求項３２】
前記タブ（３００）は、前記最大長手方向長さ（１８）に対して略平行とされ、且つ前記最大横幅（２０）の中点を通過して延伸している対称線（３０）に関して略対称とされることを特徴とする請求項２４に記載のブリスターパッケージ（１０）。
【請求項３３】
エンボス加工された表示部をさらに備えていることを特徴とする請求項２４に記載のブリスターパッケージ（１０）。
【請求項３４】
前記表示部は、前記タブ（３００）上に配置されていることを特徴とする請求項３３に記載のブリスターパッケージ（１０）。
【請求項３５】
前記表示部は、前記把持側端部（１４）上に配置されていることを特徴とする請求項３３に記載のブリスターパッケージ（１０）。
【請求項３６】
投与側端部（１２）、把持側端部（１４）、最大長手方向長さ（１８）、最大横幅（２０）、及び前記最大長手方向長さ（１８）に対して略平行とされ、且つ前記最大横幅（２０）の中点を通過して延伸している対称線（３０）に関して略対称とされる外周部（１６）を有している、少なくとも第１の流動性物質（Ｓ１）及び第２の流動性物質（Ｓ２）を格納し、且つ同時に投与するための、使い捨ての多室型ブリスターパッケージ（１０）であって、
１つ以上の外縁（１１２）を備えたブリスター層の外周部（１１０）、ブリスター層の外面（１２０）、及びブリスター層の内面（１３０）を有し、且つ少なくとも第１の製品格納キャビティ（１６０）、第２の製品格納キャビティ（１７０）、第１の製品投与チャンネル（１６２）、及び第２の製品投与チャンネル（１７２）と共に形成されているブリスター層（１００）であって、前記第１の製品投与チャンネル（１６２）が、前記第１の製品格納キャビティ（１６０）及び遠位端（１６７）と流通している近位端（１６６）を有しており、前記第２の製品投与チャンネル（１７２）が、前記第２の製品格納キャビティ（１７０）及び遠位端（１７７）と流通している近位端（１７６）を有しており、前記ブリスター層（１００）が、２つの端点（１４２）を有し、略凹状の形状とされ、対称線（３０）に関して略対称とされ、前記投与側端部（１２）に向かって開口し、且つ前記ブリスター層の外周部（１１０）に対して内側に配置されたブリスター層のタブ生成分割線（１４０）を有していることによって、前記ブリスター層のタブ生成分割線（１４０）における前記ブリスター層（１００）の強度を選択的に低減し、ブリスター層のタブ生成領域（１５０）を概略形成しており、前記第１の製品格納キャビティ（１６０）、前記第２の製品格納キャビティ（１７０）、前記第１の製品投与チャンネル（１６２）、及び前記第２の製品投与チャンネル（１７２）が、前記ブリスター層の外周部（１１０）に至るまで延在せず、前記ブリスター層に形成され、前記対称線（３０）上に前記ブリスター層（１００）の剛性を低減するように実質的に配置され、且つ前記ブリスター層の外面（１２０）から前記ブリスター層の内面（１３０）に至るまで延在している少なくとも１つのスリットを含んでいるブリスター層の折り曲げ促進機能部（１８０）を含んでいる前記ブリスター層と、
１つ以上の外縁（２１２）を備えたベース層の外周部（２１０）、ベース層の外面（２２０）、ベース層の内面（２３０）、及び２つの端点（２４２）を有し、略凹状の形状とされ、前記投与側端部（１２）に向かって開口し、前記対称線（３０）に関して略対称とされ、且つ、前記ベース層の外周部（２１０）に対して内側に配置されていることによって、前記ベース層のタブ生成分割線（２４０）における前記ベース層（２００）の強度を選択的に低減し、且つベース層のタブ生成領域（２５０）を概略形成しているベース層（２００）であって、前記ベース層に形成され、前記ベース層の外面（２２０）から前記ベース層の内面（２３０）に至るまで延在している少なくとも１つのスリットを含んでいる前記ベース層（２００）の剛性を低減するように前記対称線（３０）上に対称に配置されているベース層の折り曲げ促進機能部（２６０）を含んでいる前記ベース層と、
を備えている前記ブリスターパッケージであって、
前記第１の製品投与チャンネル（１６２）は中心線（１６５）を有しており、前記第２の製品投与チャンネル（１７２）は中心線（１７５）を有しており、前記第１の製品投与チャンネルの前記中心線（１６５）及び前記第２の製品投与チャンネルの前記中心線（１７５）は前記対称線（３０）に関して略対称とされ、前記第１の製品投与チャンネルの前記中心線（１６５）の前記第１の製品投与チャンネルの前記遠位端（１６７）からの延長線は、前記第１の製品投与チャンネルの前記遠位端（１６７）及び前記第２の製品投与チャンネルの前記遠位端（１７７）が前記対称線（３０）の両側から互いに向かっていくように形成され、前記第１の製品投与チャンネルの前記遠位端（１６７）からの前記対称線（３０）に対する垂直距離が前記第１のブリスター層のタブ分割生成線の前記端点（１４２）からの前記対称線（３０）に対する垂直距離よりも小さく、且つ、前記第２の製品投与チャンネルの前記遠位端（１７７）からの前記対称線（３０）に対する垂直距離が前記第２のブリスター層のタブ分割生成線の前記端点（１４２）からの前記対称線（３０）に対する垂直距離よりも小さくなるように、約１８０°の吐出収束角（１９０）で、前記第２の製品投与チャンネルの前記中心線（１７５）の前記第２の製品投与チャンネルの前記遠位端（１７７）からの延長線に収束し、
前記ベース層の内面（２３０）の表面領域の少なくとも一部は、前記ベース層（２００）が前記第１の製品格納キャビティ（１６０）、前記第２の製品格納キャビティ（１７０）、前記第１の製品投与チャンネル（１６２）、及び前記第２の製品投与チャンネル（１７２）を外界から密閉するように前記ブリスター層の内面（１３０）に結合され、前記ベース層のタブ生成分割線（２４０）及び前記ブリスター層のタブ生成分割線（１４０）が互いに重なり合って、前記ベース層のタブ生成領域（１５０）及び前記ブリスター層のタブ生成領域（２５０）が互いに重なり合っており、
（ｉ）所定の力を前記ベース層のタブ生成領域（２５０）及び前記ブリスター層のタブ生成領域（１５０）に作用させることによって、前記ベース層のタブ生成分割線（２４０）において前記ベース層（２００）の一部を分割し、且つ、前記ブリスター層のタブ生成分割線（１４０）において前記ブリスター層（１００）の一部を分割し、これにより前記対称線（３０）に関して略対称とされ、ベース層要素（３１０）及びブリスター層要素（３２０）を有しているタブ（３００）が形成されること、
（ｉｉ）前記ブリスターパッケージ（１０）の前記把持側端部（１４）から離れるように前記タブ（３００）を引くことによって、前記ブリスターパッケージ（１０）から前記タブ（３００）を取り除き、これにより少なくとも１つの前記ブリスター層の分割生成線の前記端点（１４２）及び少なくとも１つの前記ベース層の分割生成線の前記端点（２４２）から前記ブリスター層の外周部（１１０）及び前記ベース層の外周部（２１０）に至るまで、第１の製品投与チャンネルの開口部（１６８）及び第２の製品投与チャンネルの開口部（１７８）を形成する前記第１の製品投与チャンネル（１６２）及び前記第２の製品投与チャンネル（１７２）を横切って、前記ベース層（２００）及び前記ブリスター層（１００）を引き裂き、これにより前記第１の製品投与チャンネル及び前記第２の製品投与チャンネル（１７２）の内部を外界に露出させ、左翼部（４００）及び右翼部（５００）を形成すること、及び、
（ｉｉｉ）前記第１の製品投与チャンネルの開口部（１６８）及び前記第２の製品投与チャンネルの開口部（１７８）が互いに向かって回動するように、前記ブリスター層の折り曲げ促進機能部（１８０）及び前記ベース層の折り曲げ促進機能部（２６０）を中心として前記左翼部（４００）又は前記右翼部（５００）を回転させて、前記第１の流動性物質（Ｓ１）及び前記第２の流動性物質（Ｓ２）の圧力が高まるように、所定の圧力を前記ブリスターパッケージ（１０）に作用させることによって、（ａ）前記第１の流動性物質（Ｓ１）を、前記第１の製品格納キャビティ（１６０）から前記第１の製品投与チャンネル（１６２）を通じて流し、前記第１の製品投与チャンネルの開口部（１６８）を通じて前記ブリスターパッケージ（１０）から流出させ、（ｂ）前記第２の流動性物質（Ｓ２）を、前記第２の製品格納キャビティ（１７０）から前記第２の製品投与チャンネル（１７２）を通じて流し、前記第２の製品投与チャンネルの開口部（１７８）を通じて前記ブリスターパッケージ（１０）から流出させることによって、
前記第１の流動性物質（Ｓ１）及び前記第２の流動性物質（Ｓ２）を投与するを特徴とするブリスターパッケージ。
【請求項３７】
外周部、投与側端部、把持側端部、最大長手方向長さ、及び最大横幅を備えている、少なくとも第１の流動性物質及び第２の流動性物質を格納し、且つ投与するための使い捨ての多室型ブリスターパッケージにおいて、
ａ）少なくとも第１の製品格納キャビティ、第２の製品格納キャビティ、第１の製品投与チャンネル、及び第２の製品投与チャンネルと共に形成され、外面及び内面を有し、ヒートシール可能なパウチ材料から成る少なくとも１つの層であって、前記第１の製品投与チャンネルは、近位端を有し、前記第１の製品格納キャビティ及び遠位端と流通しており、前記第２の製品投与チャンネルは、近位端を有し、前記第２の製品格納キャビティ及び遠位端と流通しており、前記パウチ材料は、前記パウチ材料の外周部に対して内側に配置された２つの端点を有しているタブ生成分割線を有し、これにより前記タブ生成分割線において前記パウチ材料の強度を選択的に低減し、パウチ材料のタブ生成領域を概略形成しており、前記第１の製品格納キャビティ、前記第２の製品格納キャビティ、前記第１の製品投与チャンネル、及び前記第２の製品投与チャンネルが、前記パウチ材料の外周部に至るまで延在していない前記層を備え、
ｂ）前記パウチ材料のタブ生成領域に所定の力を作用させることによって、タブが形成されるように前記タブ生成分割線において前記パウチ材料の一部を分割し、前記ブリスターパッケージの前記把持側端部から離れるように前記タブを引くことによって、前記ブリスターパッケージから前記タブを取り除き、これにより第１の製品投与チャンネルの開口部及び第２の製品投与チャンネルの開口部を形成する前記第１の製品投与チャンネル及び前記第２の製品投与チャンネルを横切って、前記パウチ材料を引き裂き、これにより前記第１の製品投与チャンネル及び前記第２の製品投与チャンネルの内部を外界に露出させ、左翼部及び右翼部を形成し、前記第１の製品投与チャンネルの開口部及び前記第２の製品投与チャンネルの開口部が互いに向かって回動するように前記左翼部又は前記右翼部を回転させ、前記第１の流動性物質及び前記第２の流動性物質の圧力が高まるように所定の力をブリスターパッケージに作用させ、これにより
ａ）前記第１の流動性物質を、前記第１の製品格納キャビティから前記第１の製品投与チャンネルを通じて流し、前記第１の製品投与チャンネルの開口部を通じてブリスターパッケージから流出させ、
ｂ）前記第２の流動性物質を、前記第２の製品格納キャビティから前記第２の製品投与チャンネルを通じて流し、前記第２の製品投与チャンネルの開口部を通じてブリスターパッケージから流出させることを特徴とするブリスターパッケージ。
【発明の詳細な説明】
【技術分野】
【０００１】
本発明は、様々な流動性物質を収容する多室形ブリスターパッケージに関する。より詳しくは、別々の成分が同時に投与される薬剤パッケージに関する。
【背景技術】
【０００２】
計測された量の様々な流動性物質は、プラスチック又は箔から成る比較的小さな可撓性を有するパッケージに分配されていることがますます一般的になっている。このような流動性物質には、様々な製品が含まれ、例えば調味料のような食品、シャンプーのような日用品や薬剤のような医薬品が挙げられる。
【０００３】
一般的な例として、一般に互いに重ね合わされ、その後に共に外周部が密閉された２つのシート状の箔又はプラスチックから形成された、いつでもどこでも利用可能な使い捨て用ケチャップパックであって、容器から離れるように一の縁部を容易に引き裂き可能とするためにノッチ又は他の手段を備えているケチャップパックが挙げられる。利用者は、容器を開くために引き裂き、調味料を分配し、その後にパッケージを捨てる。さらに好ましい例としては、様々なＢＦＳ（成型同時充填）用パッケージが挙げられる。壊れやすいプラスチック製シェルが、連続的な作業で成型され、液体で充填され、その後に密閉される。この方法で形成されたＢＦＳ容器の一部が利用されるか、又は利用時に破損され、液体が手作業で容器を圧縮することによって分配される。
【０００４】
これらのタイプのパッケージは、特定のタイプの液体にとっては効果的であるが、複数の液体を同時に分配するように構成されたパッケージにとっては特に問題が多い。多くの物質、特に薬剤が分配時及び利用時に最適に混合される独立した要素として格納されていることを求めるニーズが、このような分配装置に対して高まってきた。このことは、
このような要素は、結合された場合に不安定であるか、又は混合後の貯蔵寿命が限られるようにしか混合されないという結果をもたらす。このような性質を有する簡便な分配容器の例としては、特許文献１が挙げられる。当該特許文献には、歯磨き剤のチューブの独立したコンパートメントが圧縮され、利用時にはそうではないが、液体コンパートメントの両方を一般にカバーするキャップによってカバーされている出口頚部から独立した要素を放出することが開示されている。
【０００５】
様々な問題が、外界から要素液体を密閉しており、且つ破損した後に同時に複数の独立した液体を混合し調合するように構成されたパッケージを設計すること自体に存在する。第一に、このようなパッケージによって、独立したチャンバーを同時に調整した状態で開口することができるので、開口機構はあらゆる液体を格納したチャンバーを不可逆的に清潔な状態で開口することができる。特に関節炎を患った手又はさもなければ握力が弱った手の場合には、パッケージを開口することは非常に困難である。容器は通常の運搬状態において内容物を格納するために比較的高強度を有している必要があるという事実によって、このような困難性が高められる。このような困難性には、不慮に圧縮されることも含まれる。パッケージの表面に付着した湿気や皮脂がたとえ少量であっても、小さなパッケージを把持し引き裂くことはほとんど不可能となる。苛立った当該パッケージの利用者が、自身の歯を利用することによって、見かけ上手作業で“引き裂かれて開口する（tear open）”パッケージを開いている光景を目にすることも一般的である。このような方法は、審美的且つ衛生学的な問題を有していることは明らかであり、口で接触するための安全性が確保されていない製品に関連する危険性を考慮していない。当該パッケージの一般的な例は、特許文献２に開示されている。当該特許文献における単一の容器内に並列した液体用チャンバーは、それぞれ出口頚部によって共通するシール部材に接続されている。シール部材が破損した場合に、液体はチャンバーから流出する。
【０００６】
当該パッケージは、それ自身の問題を提起している。第一に、液体が充填されたチャンバーの側壁に十分な圧力を作用させることなく、容器を把持し分配頚部を折損するのに十分に堅固に容器を把持することが困難である。従って、分配頚部が折損した場合に、相当な量のチャンバーの内容物がすぐに流出する。第二に、独立したチャンバーの目的は、液体を所定に割合で混合可能とすることである。このような所定の割合での混合を実現する一の方法が、特許文献３に開示されている。当該特許文献における独立したチャンバーの出口頚部の大きさは、液体の混合を所望の割合で実施可能なように変更可能とされる。液体の体積及び粘性に依存して、正確な割合を実現することが困難である場合がある。特に、一のチャンバーに他のチャンバーよりも大きな圧力を作用させる場合には、例えば特許文献２に開示されるような並列したチャンバーを手で把持した場合に容易に実現可能であるが、各チャンバーからの内容物の流出量が著しく変化する場合がある。付加的な問題として、幼い子供が内容物に触れないようにチャイルドプルーフの形態でパッケージ化されることが、多くの物質にとって理想的である。
【特許文献１】米国特許第５，８４３，４０９号明細書
【特許文献２】米国特許第６，２４７，６１７号明細書
【特許文献３】米国特許第３，１９７，０７１号明細書
【発明の開示】
【発明が解決しようとする課題】
【０００７】
最も一般的な構成においては、本発明は、様々な新しい機能によって本発明の属する技術分野の状況を改善し、新しく斬新な方法で従来技術の多くの欠点を克服するものである。最も一般的な意味では、本発明は、多くの一般的に効果的な構成のうち任意の構成における従来技術の欠点及び限定を克服するものである。本発明は、このような機能を示し、従来技術の多くの欠点を克服するものである。
【課題を解決するための手段】
【０００８】
本発明は、少なくとも２つの流動性物質を格納し同時に投与するための多室型のブリスターパッケージを含んでいる。当該流動性物質は液体である場合がある。ブリスターパッケージは、部分的に共に結合されたブリスター層及びベース層を含み、パッケージが開口された際に流動性物質が実質的又は完全に分配又は流出するようになっているという広い意味において、使い捨て用とされる。
【０００９】
ブリスターパッケージは、幾つかある大きさ及び構造の中でも特に外周部、投与側端部、及び把持側端部を有している。ブリスター層は、第１の製品格納キャビティ及び第２の製品格納キャビティを有しているように形成されている。ブリスター層は、第１の製品格納キャビティ及び第２の製品格納キャビティのそれぞれと流通している少なくとも第１の製品投与チャンネル及び第２の製品投与チャンネルと共に形成されている。各製品投与チャンネルは、各製品格納キャビティの近傍に近位端を有し、ブリスターパッケージの投与側端部の近傍に遠位端を有している。
【００１０】
製品格納キャビティ及び製品投与チャンネルの形状及び大きさは、一般に流動性物質の特性及び供給しなければならない流動性物質の量に基づいて選定される。製品投与チャンネルの断面性、自身の長手方向に沿って変化しており、製品投与チャンネルはテーパ形状として一般に表わされる。実際には、幾つかの実施例では、製品格納キャビティと製品投与チャンネルとが一体とされる。幾つかの実施例では、製品格納キャビティは略半球状とされ、製品投与チャンネルは略半円状の断面を有している。
【００１１】
製品格納キャビティ及び製品投与チャンネルは、ブリスターパッケージの外周部に至るまで延在せず、これにより流動性物質が不慮に流出する可能性を最小限度に抑えることができる。一の実施例では、各製品格納キャビティは、一般に約０．１ｃｃ〜約５ｃｃの流動性物質を保持するように構成されている。
【００１２】
ブリスター層及びベース層は、両層の強度を選択的に低減し、且つタブの生成を容易にするために実質的に重ね合わされた両層のタブ生成領域を規定する少なくとも１つの分割線を有している。幾つかの実施例では、タブの形成するためには、タブ生成領域に力を作用させ、ブリスターパッケージの残り部分から自由な状態になっているタブの一部を破断することが必要とされる。
【００１３】
一般に、ベース層の内面のうち少なくとも一部、より好ましくは少なくとも３．０ｍｍ幅の表面領域が、ベース層が製品格納キャビティ及び製品投与チャンネルの内部を外界から密閉するようにブリスター層の内面に結合されている。
【００１４】
利用者は、１）タブ生成領域に所定の力を作用させ、ブリスターパッケージの一部を分割することによってタブを形成し、２）製品投与チャンネルを横切ってタブを引き裂くことによってタブをブリスターパッケージから取り除き、翼部を形成し、これにより製品投与チャンネルの内部を露出させ、３）製品投与チャンネルの開口部が互いに向かって回動するように翼部を回転させ、４）ブリスターパッケージに所定の力を作用させることによって流動性物質を分配することによって、流動性物質に接触することができる。
【００１５】
分割線の形状及び構成（make-up）は、適切な大きさの力を作用させることによってタブを生成することのみのために必要とされる。分割線の形状及び構成は、所定の形状のタブを形成し、及び／又は所定の引き裂き性を有するように選定される場合もある。一の実施例では、分割線は投与側端部に向かって開口している略凹状の形状とされる。これにより利用者は、自然にブリスターパッケージの把持側端部を一方の手で把持しようとする性質と共に協働し、投与側端部を操作するために他方の手を利用することができる。少なくとも１つのタブ保持突起を設けることによって、タブを形成するために必要とされる力の大きさが大きくなる。
【００１６】
タブがブリスターパッケージから引き裂かれると、一方又は両方の翼部は、製品投与チャンネルの開口部が互いに向かって回動するように回転される。折り曲げ促進機能部は、ブリスターパッケージの剛性を低減し、一方又は両方の翼部の回転を促進させるように作用する。折り曲げ促進機能部は、翼部の折り曲げ中心位置を利用者に視覚的に知らせるように設けられている。
【００１７】
本発明の様々な実施例においては、多くの要素が対称線に関して対称とされる。さらに、折り曲げ促進機能部が設けられている実施例は、これら機能部を対称線上に実質的に配置されており、これにより利用者が自然に半分に折り曲げようとする性質を利用することができる。
【００１８】
製品格納キャビティ及び製品投与チャンネルの大きさ及び形状は、同一であっても相違していても良い。相違する量の第１の流動性物質及び第２の流動性物質が投与されることが理想的である場合がある。さらに、投与されるまで独立して格納される必要がある２つの流動性物質の粘性が同一であることは稀である。水により類似する厚さ及び流動特性を具備する第２の流動性物質に適用しなければならない第１の流動性物質が、練り歯磨きに類似した厚さ及び流動特性を具備していることは非一般的であるということはない。このような状況では、流動性物質が均等、又は所定の割合で投与可能なように流動性物質の投与を調整することができる大きさとされた製品投与チャンネルを有していることが理想的である。
【００１９】
製品投与チャンネルは、零度（０°又は平行）〜収束（すなわち＋２０°）又は発散（すなわち−２０°）の吐出収束角を形成するように、角度調整されている。引き裂き経路が製品投与チャンネルの先端部を交差していることが重要である。
【００２０】
当該実施例では、ブリスターパッケージは、第１の製品投与チャンネルの開口部の位置と第２の製品投与チャンネルの開口部の位置とが対称線に関して対称となるように構成され、これにより翼部が隣り合った状態に折り曲げられた場合に開口部が互いに隣り合った状態で位置決めされる。このように位置決めすることによって、流動性物質は並行した状態で関連する開口部から流出する。さらに、ブリスターパッケージの構成、特にタブ及び所定の引き裂き経路によって、製品投与チャンネルのうち１つの製品投与チャンネルのみを開口し、流動性物質を不適切に投与する可能性を解消することが可能となる。代替的な実施例では、製品投与チャンネルの開口部は、流動性物質のうち１つの流動性物質が第１の流動性物質及び第２の流動性物質のうち一方が先に投与された他方の流動性物質の上方又は上部に投与されるように構成されている。
【００２１】
一の実施例では、製品格納キャビティの中心は、対称線に関して対称とされ、さらに製品投与チャンネルの中心線上に位置している。このような構成は、翼部が共に折り曲げられるので特に効果的である。このことの大部分は、片手でブリスターパッケージを折り曲げ、これに伴って製品格納キャビティを平坦にすることができるように、ブリスターパッケージが成人の手の親指及び人差し指との間に挟むように構成されている事実に基づくものである。本発明の構成によって、ブリスターパッケージは、ブリスター層が自身と接触するように折り曲げられるか、又はベース層が自身と接触するように折り曲げられるかに関わらず、片手の親指と人差し指とで把持され圧縮された場合に各製品格納キャビティに等しい力を作用させないことは現実的に不可能であると言うことは、当業者にとっては言うまでもないことである。
【００２２】
ベース層は、ブリスターパッケージのチャイルドプルーフ性を高めるために、人が製品格納キャビティを押すことによって破裂し得ない材料及び厚さから構成される。さらに、人間の指によってベース層又はブリスター層を互いから剥離又は分離することは不可能ではないが極めて困難であるので、チャイルドプルーフ性はさらに高められる。
【００２３】
ブリスターパッケージは、２つよりも多くの物質を収容する場合がある。例えば、ブリスターパッケージは、第３の流動性物質を格納し投与するために、第３の製品格納キャビティ及び第３の製品投与チャンネルをさらに備えている。さもなければ、さらなる付加的な製品格納キャビティ及び製品投与チャンネルが利用される場合もある。
【００２４】
様々な好ましい実施例、配置、及び構成の変化、改良、代替、及び変更は、以下の発明の詳細な説明及び添付図面を参照することによって単独又は互いに組み合わせて利用可能とされることは、当業者にとっては言うまでもないことである。
【００２５】
以下の発明の詳細な説明や図面は、本発明の技術的範囲を限定するものではないことに留意すべきである。
【発明を実施するための最良の形態】
【００２６】
本発明におけるマルチブリスターパッケージは、本発明の属する技術分野の状況を著しく進歩させるものである。本発明装置の好ましい実施例は、独創性及び新規性を有するように構成され、従来実施不可能であったが好ましく理想的な機能を発揮する新しく斬新な構成によって当該進歩を達成する。図面に関連して以下に示す発明の詳細な説明は、単なる本発明の現時点における好ましい実施例として示されているが、本発明が構成又は利用可能な形態のみを表わすことを意図する訳ではない。発明の詳細な説明には、図示された実施例と関連する本発明を実施するための構成、機能、及び方法が含まれている。しかしながら、同一又は均等な機能及び特徴は、本発明の技術的思想及び技術的範囲に属する相違する実施例によっても達成可能である。
【００２７】
図１〜図２１を参照すると、本発明は、少なくとも第１の流動性物質Ｓ１及び第２の流動性物質Ｓ２を収容し、且つ共に管理するための、多数のキャビティを有するパッケージ１０を含んでいる。ブリスターパッケージ１０は、部分的に共に結合されたブリスター層１００及びベース層２００を含んでいる。本発明のブリスターパッケージ１０は、パッケージ１０を開いた場合に完全又は実質的にパッケージ１０から分配されるか又は取り出される流動性物質Ｓ１，Ｓ２を収容することを広く意味する、使い捨て用パッケージである。
【００２８】
図１〜図５を参照すると、ブリスターパッケージ１０は、外周部１６、投与側端部１２、把持側端部１４を有している。参照符号１８は最大長手方向長さを示し、参照符号２０は最大横幅を示している。さらに、ブリスターパッケージ１００は、１つ以上の外縁１１２を備えたブリスター層の外周部１１０、ブリスター層の外面１２０、及びブリスター層の内面１３０を有している。同様に、ベース層２００は、１つ以上の外縁２１２を備えたベース層の外周部２１０、ベース層の外面２２０、及びベース層の内面２３０を有している。
【００２９】
ブリスター層１００は、少なくとも第１の製品格納キャビティ１６０及び第２の製品格納キャビティ１７０を有するように形成されている。ブリスター層１００は、少なくとも第１の製品格納キャビティ１６０と流通している第１の製品投与チャンネル１６２、及び第２の製品格納キャビティ１７０と流通している第２の製品投与チャンネル１７２と共に形成されている。第１の製品投与チャンネル１６２は、第１の製品格納キャビティ１６０の近傍に近位端１６６、及びブリスターパッケージの投与側端部１２の近傍に遠位端１６７を有している。同様に、第２の製品投与チャンネル１７２は、第２の製品格納キャビティ１７０の近傍に近位端１７６、及びブリスターパッケージの投与側端部１２の近傍に遠位端１７７を有している。
【００３０】
第１の製品格納キャビティ１６０及び第２の製品格納キャビティ１７０と、第１の製品投与チャンネル１６２及び第２の製品投与チャンネル１７２とは任意の形状及び大きさであって良い。実際に、幾つかの実施例では、図１６に表わすように、製品格納キャビティ１６０，１７０と製品投与チャンネル１６２，１７２とは区別されない。製品格納キャビティ１６０，１７０及び製品投与チャンネル１６２，１７２の形状及び大きさは、移送されなくてはならない流動性物質Ｓ１，Ｓ２の特性及び量に基づいて選択される。流動性物質Ｓ１，Ｓ２は、粉体状の配合物、乾燥した顆粒状物質、ゲル、発泡体、液体、及びある環境的条件の下で流動する任意の他の材料を含んでいる場合がある。医薬の分野において、このような流動性物質Ｓ１，Ｓ２は医療用製剤及び／又は医療用希釈剤である場合がある。図１〜図４及び図１７〜図２１に表わす実施例では、製品格納キャビティ１６０，１７０は略半球状とされ、製品投与チャンネル１６２，１７２の断面は略半円とされる。しかしながら、これらの形状を任意の形状とすることができることは当業者にとっては言うまでもないことである。さらに、製品投与チャンネル１６２，１７２の断面は、製品投与チャンネルの長手方向に沿って変化する場合があり、一般的には縮径されたチャンネル１６２，１７２とされる。第１の製品格納キャビティ１６０、第２の製品格納キャビティ１７０、第１の製品投与チャンネル１６２、及び第２の製品投与チャンネル１７２がブリスター層の外周部１１０まで延在しないので、流動性物質Ｓ１，Ｓ２が不慮に解放される可能性を最小限度に抑えることができることは重要であり、これに留意すべきである。一の特定の実施例では、製品格納キャビティ１６０，１７０は、それぞれ約０．１ｃｃ〜約５ｃｃの流動性物質Ｓ１，Ｓ２を保持するように構成されている。この実施例では、ブリスターパッケージの最大長手方向長さ１８は約３インチ〜約５インチであり、ブリスターパッケージの最大横幅２０は約２インチ〜約４インチである。製品格納キャビティ１６０，１７０及び製品投与チャンネル１６２，１７２の位置と構成とは、本明細書において以下に詳述する。
【００３１】
ブリスター層１００は、図２に表わすようにブリスター層の外周部１１０に対して内側に配置され、且つ２つの端点１４２を備えたブリスター層のタブ生成分割線１４０を有している。ブリスター層のタブ生成分割線１４０は、選択的にブリスター層１００の強度を低減することによって機能する。同様に、ベース層２００は、図２に表わすようにベース層の外周部２１０に対して内側に配置され、且つ２つの端点２４２を備えたベース層のタブ生成分割線２４０を有している。ベース層のタブ生成分割線２４０は、選択的にベース層２００の強度を低減することによって機能する。さらに、ブリスター層のタブ生成分割線１４０はブリスター層のタブ生成領域１５０を規定し、ベース層のタブ生成分割線２４０はベース層のタブ生成領域２５０を規定している。タブ生成分割線１４０，２４０の目的は、図６に最初に表わすようにタブ３００を容易に生成することである。幾つかの実施例では、他の箇所で詳述するが、タブ３００を生成するためには、タブ生成領域１５０，２５０に力を加え、タブ３００の一部をブリスターパッケージ１０の残りの部分から分離させることを必要とする。
【００３２】
一般に、ベース層の内面２３０の少なくとも一部、より好ましくは少なくとも３．０ｍｍ幅の表面領域は、ベース層２００が第１の製品格納キャビティ１６０、第２の製品格納キャビティ１７０、第１の製品投与チャンネル１６２、及び第２の製品投与チャンネル１７２の内部を外界から保護するように、ブリスター層の内面１３０に結合されている。ブリスター層１００は、ヒートシール（heat sealing）、例えば事前にベース層２００に塗布された加熱活性化接着剤のような接着剤、接着溶剤、及びレゾルシノール樹脂（ＲＦ）若しくは超音波による溶着、又は他の適切な手段によってベース層２００に結合されている。製品格納キャビティ１６０，１７０内部に形成されたブリスター層１００の領域と、製品投与チャンネル１６５，１７５とは、ベース層２００に明確に結合されている訳ではない。ブリスター層１００及びベース層２００は、ベース層のタブ生成分割線２４０及びブリスター層のタブ生成分割線１４０が互いに重なり合い、且つ、ベース層のタブ生成領域２５０及びブリスター層のタブ生成領域１５０が互いに重なり合うように結合されている。
【００３３】
ブリスターパッケージ１０の様々な構成要素は、利用者が第１の流動性物質Ｓ１及び第２の流動性物質Ｓ２を利用するために、以下のステップを実施しなければならないように構成されている。
（ｉ）ベース層のタブ生成領域２５０及びブリスター層のタブ生成領域１５０に力を作用させ、これによりベース層のタブ生成分割線２４０でベース層２００の一部を分割し、且つ、ブリスター層のタブ生成分割線１４０でブリスター層１００の一部を分割し、その結果としてベース層要素３１０及びブリスター層要素３２０を有するタブ３００が図６及び図７に表わすように生成される。
（ｉｉ）ブリスターパッケージ１０の把持側端部１４から離れるようにタブ３００を引くことによって、図８に表わすようにブリスターパッケージ１０からタブ３００を取り除き、これによりブリスター層のタブ生成分割線の端点１４２のうち少なくとも１つの端点及びベース層のタブ生成分割線の端点２４２のうち少なくとも１つの端点からブリスター層の外周部１１０及びベース層の外周部２１０に至るまで、第１のチャンネル開口部１６８及び第２のチャンネル開口部１７８が形成される第１の製品投与チャンネル及び第２の製品投与チャンネル１７２を横切って、ベース層２００及びブリスター層１００を引き裂き、これにより図９に表わすように第１の製品投与チャンネル１６２及び第２の製品投与チャンネル１７２を外界に露出させ、左翼部４００（sinistral wing）及び右翼部５００（dextral wing）を形成する。
（ｉｉｉ）左翼部４００又は右翼部５００を回転させることによって、図１０に表わすように第１のチャンネル開口部１６８及び第２のチャンネル開口部１７８が互いに向かって回動し、第１の流動性物質Ｓ１及び第２の流動性物質Ｓ２の圧力が増大することによって、所定の力がブリスターパッケージ１０に作用し、これにより図１１に表わすように、（ａ）第１の流動性物質Ｓ１は、第１の製品格納キャビティ１６０から第１の製品投与チャンネル１６２を通じて流れ、第１のチャンネル開口部１６８を通じてブリスターパッケージ１０から流出し、且つ、（ｂ）第２の流動性物質Ｓ２は、第２の製品格納キャビティ１７０から第２の製品投与チャンネル１７２を通じて流れ、第２のチャンネル開口部１７８を通じてブリスターパッケージ１０から流出する。
【００３４】
タブ生成分割線１４０，２４０の形状及び構成は、適切な大きさの力を作用させることによって容易にタブ３００を生成可能なことのみを必要とする。タブ生成分割線１４０，２４０の形状及び構成は、所定の形状から成り、及び／又は所定の引き裂き性を有しているタブ３００を生成するように選択される。本発明では、図８及び図９に表わすように、タブ生成分割線１４０，２４０の形状及び構成は、タブ３００がブリスターパッケージ１０から引き裂かれた場合に、引き裂きが製品投与チャンネル１６２，１７２を横断すると共にブリスターパッケージの外周部１６に至るまで延伸するように選定される。タブ３００を取り除くプロセスによって、左翼部４００及び右翼部５００が形成される。
【００３５】
一の実施例では、例えば図１〜図３に表わすように、タブ生成分割線１４０，２４０は、投与側端部１２に向かって開口している略凹状の形状とされる。このような構成と、図６に表わすように、利用者が一方の手でブリスターパッケージ１０の把持側端部１４を自然に把持し、且つ他方の手でブリスターパッケージ１０を操作する性質とが協調することによって、第１の流動性物質Ｓ１及び第２の流動性物質Ｓ２が利用可能となる。このような方法でブリスターパッケージ１０を把持することによって、利用者は容易に親指又は人差し指をタブ生成領域１５０，２５０のいずれにも押し込むことが可能となる一方で、所定の力がタブ生成領域１５０，２５０に作用するので、その後の操作において、タブ３００がタブ生成分割線１４０，２４０によって取り除き可能となる。図面は、上方に折り曲げられるか、又はベース層２００から離間するように形成されたタブ３００を表わすが、タブ３００が上側から形成され、且つ、ブリスター層１００から離間するか、又は図７に表わす方向の反対方向に折り曲げられた場合にも、本発明は同様に機能する。さらに、左翼部４００及び右翼部５００を形成するための、タブ生成分割線１４０，２４０についての多様な他の構成が本発明に包含されていることは、本発明の属する技術分野における当業者にとっては言うまでもないことである。このような構成のうち幾つかの構成が図１９〜図２１に表わされている。
【００３６】
タブ生成分割線１４０，２４０は、それぞれ多数の区分から構成されている。例えば、ベース層のタブ生成分割線２４０は、図１８に表わすように第１のベース層分割線セクション２４４と第２のベース層分割線セクション２４６とを含んでいる。同様に、ブリスター層のタブ生成分割線１４０は、図１７、図１９、及び図２０に表わすように、第１のブリスター層分割線セクション１４４と第２のブリスター層分割線セクション１４６とを含んでいる。さらに、一方のタブ生成分割線１４０，２４０が多数のセクションから構成されるからと言って、他方のタブ生成分割線１４０，２４０も多数のセクションから構成されなくてはならないという訳ではない。
【００３７】
実際に、タブ生成分割線１４０，２４０のうち少なくとも１つが、分割線間分離距離１４８，２４８で離間した多数のセクション１４４，１４６，２４４，２４６から構成されていることが望ましい場合がある。このことは、特に実施例に当てはまる。タブ３００が不慮に形成されることを防止するタブ保持用突出部３３０が、多数のセクション１４４，１４６，２４４，２４６を利用することによって形成されるので、タブ生成分割線１４０，２４０には、スリットがブリスター層１００及びベース層２００全体に亘って切断するように刻まれている。タブ保持用突出部３３０は、タブ生成領域１５０，２５０を、ブリスター層１００及びベース層２００の残り部分と接続するように機能する。しかしながら、図示する実施例の大部分では、ベース層のタブ生成分割線２４０及びブリスター層のタブ生成分割線１４０は、タブ３００がタブ生成領域１５０，２５０のいずれかに最小限度の力を作用させることによって形成されるように、ブリスター層１００及びベース層２００全体に亘る連続的なスリットとされる。タブ３００を形成するために作用させ無くてはならない力が、タブ保持用突出部３３０を設けることによって増大する。従って、タブ３００を形成するために必要な力の大きさを設定するための一の方法は、分割線間分離距離１４８，２４８の長さを変更することである。図１７〜図１９に表わすように、分割線間分離距離１４８，２４８が大きくなるに従って、指によってタブ生成領域１５０，２５０に作用させ、タブ保持用突出部３３０を取り外し（break）、これによりタブ３００をベース層２００の平面から外れて回転させるために必要な力の大きさが増大する。分割線間分離距離１４８，２４８の長さは、タブの構成に対して理想的な抵抗の大きさに依存して、約１／１２８”〜約１／８”（約０．２ｍｍ〜約３．１７５ｍｍ）とされる。さらに、ブリスターパッケージ１０には、図２０に表わすように多数のタブ保持用突出部３３０が設けられている。さらに、図２０に表わすように、タブ生成分割線１４０，２４０は２つ以上の独立したセクションから構成されている場合がある。
【００３８】
一の実施例では、ベース層のタブ生成分割線２４０は、図１７及び図１８に表わすように、第１のベース層分割線セクション２４４と第２のベース層分割線セクション２４６とを含んでいる。ブリスター層のタブ生成分割線１４０は、第１のブリスター層分割線セクション１４４と第２のブリスター層分割線セクション１４６とを含んでいる。当該実施例では、第１のベース層分割線セクション２４４及び第２のべース層分割線セクション２４６は、ブリスターパッケージ１０の投与側端部１２に向かって開口している略凹状の形状を形成するように協働する。第１のブリスター層分割線セクション１４４及び第２のブリスター層分割線セクション１４６は、ブリスターパッケージ１０の投与側端部に向かって開口している略凹状の形状を形成するように協働する。当該実施例の様々な変形例として、ベース層のタブ生成分割線２４０は、図１７及び図１８に表わすように、ベース層の外面２２０からベース層の内面２３０にベース層２００を貫通して延在しているスリットとされ、ブリスター層のタブ生成分割線１４０は、ブリスター層の外面１２０からブリスター層の内面１３０にブリスター層１００を貫通して延在しているスリットとされ、且つ、ベース層のタブ生成領域２５０及びブリスター層のタブ生成領域１５０をブリスターパッケージ１０の本体に接続しているタブ保持用突出部３３０をさらに含み、これによりタブ３００が不慮にベース層１００の平面から分離することを防止可能な実施例が挙げられる。
【００３９】
さらにさらなる実施例では、タブ３００は、ベース層要素３１０又はブリスター層要素３２０を有している。言い換えれば、ブリスターパッケージ１０は、ブリスター層のタブ生成領域１５０又はブリスター層のタブ生成領域２５０が設けられていない構成とすることもできる。このような構成とされる場合は、ブリスター層のタブ生成分割線１４０又はベース層のタブ生成分割線２４０が端点を有していない、すなわち閉曲線であって、ブリスター層１００又はベース層２００のそれぞれの全体に亘って延在している場合であって、製造時にブリスター層のタブ生成領域１５０又はベース層のタブ生成領域２５０が取り除かれる。穴がタブ３００の近傍にベース層及びブリスター層の両方を貫通して形成される場合があることは言うまでもない。
【００４０】
上述のように、タブ３００がブリスターパッケージ１０から引き裂かれた場合には、左翼部４００又は右翼部５００は、第１のチャンネル開口部１６８及び第２のチャンネル開口部１７８が図１０に表わすように互いに向かって回動するように回転可能とされる。必要であるとは限らないが、図１３及び図１４に表わすように、ブリスター層１００はブリスター層の折り曲げ促進機能部１８０を備え、及び／又はベース層２００はベース層の折り曲げ促進機能部２００を備えている場合がある。このような折り曲げ促進機能部１８０，２６０は、ブリスター層１００及びベース層２００それぞれの剛性を低減し、折り曲げ促進機能部１８０，２６０を中心とした左翼部４００及び右翼部５００の回転性を高めるものである。折り曲げ促進機能部１８０，２６０は、左翼部４００及び右翼部５００の折り曲げ中心位置を利用者に視覚的に示すものである。
【００４１】
折り曲げ促進機能部１８０，２６０は、ブリスター層１００及びベース層２００それぞれの剛性を低減させる任意の方法によって構成されている。例えば、一の実施例では、折り曲げ促進機能部１８０，２６０は、ブリスター層１００及びベース層２００の外面１２０，２２０からこれらの内面１３０，２３０を通じて延在している１つのスリットを含んでいる。さらなる実施例として、打ち抜き（die cut）、穿孔、圧痕（indentation）、スコアライン（score line）や脆弱な破断線（weakened fracture line）が挙げられる。
【００４２】
本発明の様々な実施例では、多数の要素が、図１２に表わすように対称線３０に関して対称形とされる。本明細書では、対称線３０を基準としない場合には、最大長手方向長さ１８に対して略平行な延在し、最大横幅２０の中点を通過して延在している線が基準とされる。例えば図１〜図５に表わすブリスターパッケージ１０の実施例は、対称線３０に関して略対称とされる。さらに、折り曲げ促進機能部１８０，２６０が設けられた実施例では、この折り曲げ促進機能部が対称線３０の上に設けられており、これにより図１０に表わすように、利用者が無理せず前記ブリスターパッケージを半分に折り曲げ可能になるという利点がある。
【００４３】
さらに、ブリスター層のタブ生成分割線１４０及び／又はベース層のタブ生成分割線２４０は、対称線３０に関して略対称とされる。添付の図面に表わすように、ブリスター層のタブ生成分割線１４０及びベース層のタブ生成分割線２４０は、第１の製品投与チャンネル１６２と第２の製品投与チャンネル１７２との間に配置されている。この配置は、引き裂きが外周部１６，１１０，２１０に向かって延びていく場合に、第１の製品投与チャンネル１６２及び第２の製品投与チャンネル１７２を横断するようにブリスター層１００及びベース層２００の引き裂きを促進するので理想的である。さらに、この配置は、利用者にとって直感的であり、流動性物質Ｓ１，Ｓ２を利用可能とするために必要な一連の手順を理解するための助けとなる。しかしながら、図２１に表わすように、タブ生成分割線１４０，２４０は対称線３０に関して対称とされる必要はない。流動性物質Ｓ１，Ｓ２を利用可能とするためにある程度の困難性を有することが理想的な幾つかの適用例では、タブ生成分割線１４０，２４０は対称形とはされないことが望ましい。対称線３０に関して対称とされるブリスター層のタブ生成分割線１４０及び／又はベース層のタブ生成分割線２４０を有する実施例では、タブ３００は対称線３０に関して略対称とされることは、当業者にとって容易に想到されることである。ベース層のタブ生成分割線１４０は、多くの方法で形成可能とされるが、一般的な例としては、打ち抜き、穿孔、圧痕、スコアラインや脆弱な破断線が挙げられる。
【００４４】
第１の製品格納キャビティ１６０及び第２の製品格納キャビティ１７０と第１の製品投与チャンネル１６２及び第２の製品投与チャンネル１７２とは、大きさ及び形状において同一であっても相違しても良い。異なる量の第１の流動性物質Ｓ１及び第２の流動性物質Ｓ２を投与することが理想的である場合がある。従って、第１の製品格納キャビティ１６０及び第２の製品格納キャビティ１７０と第１の製品投与チャンネル１６２及び第２の製品投与チャンネル１７２との大きさは、略同一であっても大きく相違していても良い。さらに、投与されるまで独立して格納される２つの流動性物質の粘性は、同一である場合がある。水に非常に類似する厚さ及び流動特性を有する第２の流動性物質を加える必要がある、練り歯磨き（toothpaste）に類似する厚さ及び流動特性を有する第１の流動性物質を有していることは珍しいことではない。このような状況では、等しく又は所定の割合で投与可能とされるように第１の流動性物質Ｓ１及び第２の流動性物質Ｓ２の投与を調整可能な大きさとされた第１の製品投与チャンネル１６２及び第２の製品投与チャンネル１７２を有していることが理想的である。大部分の図示する実施例では、図１３に表わすように、第１の製品格納キャビティの中心１６１及び第２の製品格納キャビティの中心１７１は、折り曲げ線３０に関して略対称とされる。しかしながら、このことは、図１５及び図２１に表わすように必ずしも必要なことではない。
【００４５】
さらなる実施例では、図１２に表わすように、第１の製品投与チャンネル１６２は中心線１６５を有し、第２の製品投与チャンネル１７２は中心線１７５を有している。当該実施例では、第１の製品投与チャンネルの中心線１６５及び第２の製品投与チャンネルの中心線１７５は、対称線３０に関して略対称とされる。
【００４６】
中心線１６５，１７５を各製品投与チャンネル１６２，１７２の遠位端１６７，１７７から延長した場合に、これら延長部は、図１２に表わすように約２０°〜約１８０°の範囲の吐出収束角（discharge convergence angle）で互いに対して収束している。遠位端１６７，１７７から延在している、破線で描かれた延長線は、ブリスターパッケージ１０から吐出する際に第１の流動性物質Ｓ１及び第２の流動性物質Ｓ２の流路に略対応している。さらに、図１７に表わす実施例では、吐出収束角１９０は、第１の製品投与チャンネルの遠位端１６７及び第２の製品投与チャンネルの遠位端１７７が対称線３０の両側から互いに向かっていくことによって形成され、その角度は約１８０°である。さらに図１２を参照すると、第１の製品投与チャンネルの遠位端１６７から対称線３０への垂線の長さは、ブリスター層のタブ生成分割線の第１の端点１４２から対称線３０への垂線の長さよりも短い。このように遠位端１６７，１７７及び端点１４２，２４２が対称線の近傍に配置されることによって、タブ３００が取り除かれた場合に確実に引き裂きが所定の経路に従って促進される。さらに、タブ生成分割線１４０，２４０が端点１４２，２４２の近傍で外側に湾曲していることによって、ブリスターパッケージ１０には所定の引き裂き経路が形成される。さらなる実施例は、確実に所定の引き裂き位置を設けるために他の機能部を備えている。例えば、ブリスターパッケージ１０のブリスター層１００及びベース層２００は引き裂き促進ライン含んでいる場合がある。このような引き裂き促進ラインは、部分的にタブ生成分割線１４０，２４０のうち一方又は両方のタブ生成分割線の端点１４２，２４２の近傍から延在し、製品投与チャンネル１６２，１７２を横切って外周部１６，１１０，２１０の近傍で終端している。このような引き裂き促進ラインとしては、打ち抜き、穿孔、圧痕、スコアラインや脆弱な破断線が挙げられる。
【００４７】
上述の変形例は、所定の経路に従って確実に引き裂きを促進させるので、第１のチャンネル開口部１６８及び第２のチャンネル開口部１７８を所定の位置に確実に配置させることができる。図１〜図１４及び図１７〜図２０に表わす実施例では、ブリスターパッケージ１０は、第１のチャンネル開口部１６８が第２のチャンネル開口部１７８と共に対称線３０に関して対称に配置されるように構成されている。当該実施例では、左翼部及び右翼部それぞれのブリスター層１００又はベース層２００のうちいずれか一方が左翼部４００及び右翼部５００の両方の同一層に隣接しているように、左翼部４００及び右翼部５００が折り畳まれた場合に、チャンネル開口部１６８，１７８が互いに対して隣り合っている。このように位置決めすることによって、第１の流動性物質Ｓ１及び第２の流動性物質Ｓ２が並列状態で対応するチャンネル開口部１６８，１７８から流出可能になる。このように第１の流動性物質Ｓ１及び第２の流動性物質Ｓ２が吐出されることによって、流動性物質Ｓ１，Ｓ２が利用地点（point of application）で混合される。さらに、ブリスターパッケージ１０、特にタブ３００及び所定の引き裂き経路の構成によって、製品投与チャンネル１６８，１７８のうち一方を開口し、流動性物質Ｓ１，Ｓ２を不適切に投与してしまう可能性が解消される。
【００４８】
代替的な実施例では、図１５に表わすように、第１のチャンネル開口部１６８及び第２のチャンネル開口部１７８は、流動性物質Ｓ１，Ｓ２のうち一方の流動性物質が投与され、その後に他方の流動性物質が先に投与した流動性物質Ｓ１，Ｓ２の上方又は上に投与されるように構成されている。このように流動性物質Ｓ１，Ｓ２を逐次的に投与することは、特定の医療分野においては望ましいものである。
【００４９】
本発明のさらなる利点は、チャンネル開口部１６８，１７８が投与直前まで形成されないことである。従って、ブリスターパッケージ１０は、流動性物質Ｓ１，Ｓ２が流動性物質Ｓ１，Ｓ２を分配／投与する際にブリスターパッケージ１０の殺菌されていない表面に接触する危険性を低減することができる。
【００５０】
本発明の好ましい実施例においては、図１、図２、図６、図７〜図９、図１２、図１３、図１５〜図１７、及び図１９〜図２１に表わすように、本発明のブリスターパッケージは、ブリスター層及びベース層にエンボス加工された表示部を有している。プルタブ３００上に形成された矢印及び把持側端部１４に浮かび上がった“PULL”や“HOLD HERE”は、利用者がブリスターパッケージ１０を堅固に把持し、開口の際にブリスターパッケージ１０を適切に保持する方法を指示することを補助する役割を果たす。把持側端部１４及び“HOLD HERE”との表記によって、利用者は、プルタブ３００を取り除く前に圧力を製品格納キャビティ１６０，１７０に作用させることを避けることができる。
【００５１】
一の実施例では、図１３に表わすように、製品格納キャビティ１６０，１７０の中心１６１，１７１は、製品投与チャンネル１６２，１７２の中心線と同様に、対称線３０に関して対称とされる。このような構成は、左翼部４００及び右翼部５００が互いに向かって折り曲げられる場合に、各製品格納キャビティ１６０，１７０に作用する力が略同一とされるので特に効果的である。ブリスターパッケージ１０は、成人の手の親指と人差し指とで挟み込むのに都合良くなっており、これによりブリスターパッケージ１０の折り曲げ、及びこれに伴う製品格納キャビティ１６２，１７２の平坦化が図１１に表わすように片手で実施可能とされる。ブリスターパッケージ１０が片手の親指と人差し指とによって把持され圧縮された場合に、従来技術の構成では、ブリスターパッケージ１０のブリスター層１００又はベース層２００が自身と接触するように折り畳まれるか否かに関わらず、各製品格納キャビティ１６０，１７０に対して略同一の力を作用させないということが不可能であることは、当業者にとって言うまでもないことである。
【００５２】
上述の対称性は、本発明を適切に機能させるために必ずしも必要ではないが、対称性は利用者にとって好ましい場合があり、利用者のブリスターパッケージ１０の操作方法及び機能に対する直感的な理解を高めることができる。
【００５３】
ブリスターパッケージ１００は、医薬品グレードのＰＶＣや例えばプラスチック、ポリプロピレン、スチレン、冷間成型の箔やパッケージ化に適した材料のような他の熱可塑性材料から成ることが望ましい。これら材料の特性によって、製品格納キャビティ１６０，１７０は、材料に亀裂や破断が生じることなく圧縮され、平坦に押しつぶされ得る。第１の製品格納キャビティ１６０、第１の製品投与チャンネル１６２、第２の製品格納キャビティ１７０、及び第２の製品投与チャンネル１７２は、熱成形法によって形成される場合がある。この熱成形法によって、ブリスター層の材料は、製品格納キャビティ１６０，１７０及び製品投与チャンネル１６２，１７２を形成するために真空成形によってキャビティに伸ばされる。好ましい実施例では、ブリスター層１００に適したシート状の材料が、所定時間の間、加熱要素に曝される。その後に、このシート状の材料は、真空及び圧力を作用させる成型ステーション内に捕捉される。このプロセスの際に、シート状の材料は、適合した金属プラグを介して製品格納キャビティ１６０，１７０及び製品投与チャンネル１６２，１７２に機械的に補助される。他の実施例では、製品格納キャビティ１６０，１７０及び製品投与チャンネル１６２，１７２は、冷間成型の箔及びパッケージ化プロセスを利用することによって形成される。本明細書における“ブリスターパッケージ（blister package）”には、冷間成型された箔及び冷間成型のパッケージ化プロセスを利用することによって作られたパッケージが含まれる。
【００５４】
ベース層２００は、ブリスターパッケージ１０のチャイルドプルーフ性を高めるために、人が第１の流動性物質Ｓ１が入った第１の製品格納キャビティ１６０や第２の流動性物質Ｓ２が入った第２の製品格納キャビティ１７０を押すことによって破裂し得ない所定の材料及び厚さから構成されている。ベース層２００は、例えばポリエステル箔や他の適切なチャイルドプルーフ性を有する箔のような、１つ以上の独立した層から構成される場合がある。ベース層２００は、一般に多数の層から構成されるが、チャイルドプルーフ性を有する任意の材料から成る。さらに、不可能でないならば、ベース層２００をブリスター層１００に結合する上述の方法が利用者の指によってブリスター層１００及びベース層２００の互いからの剥離や分離を確実且つ著しく困難にすることによって、チャイルドプルーフ性がさらに向上する。
【００５５】
本発明におけるパッケージは、二層の可撓性を有するパウチ材料（pouching material）から構成される。パウチ材料は、パッケージ業界で流通しているヒートシール可能な多層ラミネートである。代表的なパウチ材料としては、Ａｌｃａｎ  Ｉｎｃ．やＧｌｅｎｒｏｙ  Ｉｎｃ．が販売するものが挙げられる。これらパウチ材料は、ポリエステルフィルム層、プリント層、接着層、アルミニウム箔層、接着層、及び低密度の線状ポリエチレンフィルムから成る。これらパウチ材料は、産業上よく知られており、良好なシール特性が優れた酸素遮断性及び防湿性を有した材料によって得られることは、当業者にとって言うまでもないことである。当該パウチ材料は、高い耐破壊性及び優れた引裂強度も有している。
【００５６】
このように、外周部、投与側端部、把持側端部、最大長手方向長さ、最大横幅を備えている少なくとも第１の流動性物質及び第２の流動性物質を格納及び投与するための、使い捨て利用可能な多室型パッケージがさらに開示されている。前記パッケージは、ａ）少なくとも第１の製品格納キャビティ、第２の製品格納キャビティ、第１の製品投与チャンネル、及び第２の製品投与チャンネルと共に形成されている、少なくとも１つの層のヒートシール可能なパウチ材料第１の製品投与チャンネルは、近位端を有し、第１の製品格納キャビティ及び遠位端と流通し、第２の製品投与チャンネルは、近位端を有し、第１の製品格納キャビティ及び遠位端と流通し、パウチ材料は、パウチ材料の外周部の内側に位置した２つの端点を有しているタブ生成分割線を有し、これによりタブ生成分割線におけるパウチ材料の強度を選択的に低減させ、パウチ材料から成るタブ生成領域を形成し、第１の製品格納キャビティ、第２の製品格納キャビティ、第１の製品投与チャンネル、及び第２の製品投与チャンネルはパウチ材料の外周部まで延在しておらず、ｂ）力がパウチ材料から成るタブ生成領域に作用することによって、タブ生成分割線においてパウチ材料の一部が分離され、これによりタブが形成され、ブリスターパッケージの把持側端から離れるようにタブを引っ張ることによってタブをブリスターパッケージから取り除き、これにより第１の開口部及び第２の開後部を形成する第１の製品投与チャンネル及び第２の製品投与チャンネルを横切って、パウチ材料を引き裂き、第１の製品投与チャンネル及び第２の製品投与チャンネルの内部を外界に露出させ、左翼部及び右翼部を形成し、左翼部又は右翼部を回転させることによって、第１の製品投与チャンネルの開口部及び第２の製品投与チャンネルの開口部が互いに向かって回動し、所定の力をブリスターパッケージに作用させることによって、第１の流動性物質及び第２の流動性物質の圧力が大きくなり、これによりａ）第１の流動性物質が第１の製品格納キャビティから第１の製品投与チャンネルを通過して、第１の製品投与チャンネルの開口部を通じてブリスターパッケージから流出し、ｂ）第２の流動性物質が第２の製品格納キャビティから第２の製品投与チャンネルを通過して、第２の製品投与チャンネルの開口部を通じてブリスターパッケージから流出するものである。
【００５７】
ブリスターパッケージに関して、パウチ材料は、タブ及び把持側端部にエンボス加工された表示部を含んでいる。
【００５８】
本発明におけるブリスターパッケージ１０は、少なくとも２つの製品格納キャビティ１６０，１７０を有している場合についてのみ開示されているが、付加的な流動性物質を格納及び投与するために付加的なキャビティを含んでいる場合がある。例えば、ブリスターパッケージ１０は、図２１に表わすように、第３の流動性物質を格納及び投与するための第３の製品格納キャビティ及び第３の製品投与チャンネルをさらに備えており、さらに付加的な製品格納キャビティ及び製品投与チャンネルを設けることもできる。
【００５９】
本明細書に開示された好ましい実施例の多数の変更、改良、及び変更は、本発明の属する技術分野における当業者にとって明らかであり、本発明の技術的思想及び技術的範囲に属することも言うまでもない。例えば、当該実施例は詳細に説明されているが、上述の実施例及びその変化が様々なタイプの代用品又は付加的若しくは代替的な材料が組み込まれるように変更しても相対的な要素の配置及び大きさを変更しても良い。従って、本明細書には本発明における数パターンの実施例が開示されているにすぎないが、このような付加的な変更及び変化並びに均等の実際例が特許請求の範囲における発明の技術的思想及び技術的範囲に属することは明白である。
【産業上の利用可能性】
【００６０】
マルチキャビティーを有するブリスターパッケージは、薬、特に液状の薬を含む流動性物質と共に利用するための新規のブリスターパッケージを求めるニーズに応えたものである。本明細書は、流動性物質が投与及び利用されるまで独立した状態を維持される、少なくとも２つの独立した製品格納キャビティを備えたブリスターパッケージを開示するものである。ブリスターパッケージを開くことによって、同時に製品格納キャビティがアクセス可能に完全に開口し、このような物質の調剤及び投与を促進するようになっている。さらに、ブリスターパッケージは、独特な折り畳み構造を備え、手による圧力が都合良く調整された方法で製品格納キャビティに作用されるようになっている。本発明のブリスターパッケージは、成人にとっては比較的引き裂き容易であるが、子供にとってはブリスターパッケージ内の流動性物質にアクセスすることは容易ではない。
【図面の簡単な説明】
【００６１】
【図１】本発明における多室型ブリスターパッケージの一の実施例の斜視図である。
【図２】図１のブリスターパッケージの実施例の上面図である。
【図３】図１のブリスターパッケージの実施例の底面図である。
【図４】図１のブリスターパッケージの実施例の側面図である。
【図５】図１のブリスターパッケージの実施例の後面図である。
【図６】利用者がブリスターパッケージを把持し、タブを引いた場合における、ブリスターパッケージの実施例の斜視図である。
【図７】タブがブリスター層のタブ生成分割線及びベース層のタブ生成分割線に沿って分割され、タブがベース層に対して所定の位置で直角に曲げられている図６のブリスターパッケージの実施例の斜視図である。
【図８】製品投与チャンネルを横切り、ブリスターパッケージの外周部に向かって引き裂きが進行している図７のブリスターパッケージの実施例の斜視図である。
【図９】図７及び図８に表わすプロセスに従ってタブを取り除くことによって、左翼部及び右翼部が露出される図６のブリスターパッケージの実施例の斜視図である。
【図１０】タブを取り除くことによって、左翼部、右翼部、及び両翼部を操作するための一の手段である表示部を露出させる、本発明におけるブリスターパッケージの一の実施例の斜視図である。
【図１１】流動性物質の投与を表わす、ブリスターパッケージの一の実施例の斜視図である。
【図１２】第１の製品投与チャンネルと第２の製品投与チャンネルとが成す吐出収束角を表わす、ブリスターパッケージの一の実施例の上面図である。
【図１３】図１２に表わすブリスターパッケージの実施例の変化例の上面図である。
【図１４】図１２に表わすブリスターパッケージの実施例の変化例の底面図である。
【図１５】本発明におけるブリスターパッケージの一の実施例の上面図である。
【図１６】本発明におけるブリスターパッケージの一の実施例の上面図である。
【図１７】本発明におけるブリスターパッケージの一の実施例の上面図である。
【図１８】図１７のブリスターパッケージの実施例の底面図である。
【図１９】本発明におけるブリスターパッケージの一の実施例の上面図である。
【図２０】本発明におけるブリスターパッケージの一の実施例の上面図である。
【図２１】本発明におけるブリスターパッケージの一の実施例の上面図である。
【符号の説明】
【００６２】
１０  ブリスターパッケージ
１２  投与側端部
１４  把持側端部
１６  外周部
１８  最大長手方向長さ
２０  最大横幅
３０  対称線
１００  ブリスター層
１１０  ブリスター層の外周部
１１２  外縁
１２０  ブリスター層の外面
１３０  ブリスター層の内面
１４０  ブリスター層のタブ生成分割線
１４２  端点
１４４  第１のブリスター層の分割線セクション
１４６  第２のブリスター層の分割線セクション
１５０  ブリスター層のタブ生成領域
１６０  第１の製品格納キャビティ
１６２  第１の製品投与チャンネル
１６５  中心線
１６６  近位端
１６７  遠位端
１６８  第１の製品投与チャンネルの開口部
１７０  第２の製品格納キャビティ
１７２  第２の製品投与チャンネル
１７５  中心線
１７８  第２の製品投与チャンネルの開口部
１８０  ブリスター層の折り曲げ促進機能部
１９０  吐出収束角
２００  ベース層
２１０  ベース層の外周部
２１２  外縁
２２０  ベース層の外面
２３０  ベース層の内面
２４０  ベース層のタブ生成分割線
２４２  端点
２５０  ベース層のタブ生成領域
２６０  ベース層の折り曲げ促進機能部
３００  タブ
３１０  ベース層要素
３２０  ブリスター層要素
４００  左翼部
５００  右翼部
Ｓ１  第１の流動性物質
Ｓ２  第２の流動性物質
【図１】
2008543683.tif 000003
【図２】
2008543683.tif 000004
【図３】
2008543683.tif 000005
【図４】
2008543683.tif 000006
【図５】
2008543683.tif 000007
【図６】
2008543683.tif 000008
【図７】
2008543683.tif 000009
【図８】
2008543683.tif 000010
【図９】
2008543683.tif 000011
【図１０】
2008543683.tif 000012
【図１１】
2008543683.tif 000013
【図１２】
2008543683.tif 000014
【図１３】
2008543683.tif 000015
【図１４】
2008543683.tif 000016
【図１５】
2008543683.tif 000017
【図１６】
2008543683.tif 000018
【図１７】
2008543683.tif 000019
【図１８】
2008543683.tif 000020
【図１９】
2008543683.tif 000021
【図２０】
2008543683.tif 000022
【図２１】
2008543683.tif 000023
【国際調査報告】
2008543683.tif 000024